(57)【要約】【課題】通信機能や電波時計機能といった格段の構成を備えることなく、時間調整装置の時間調整を行う時間調整システムを提供する。【解決手段】まず、調整時間記憶エリアに初期値が記憶される（Ｓ１１）。メモリカードに記憶されている１つのファイルが読み込まれ（Ｓ１２）、ヘッダ部の更新日時が取得される（Ｓ１３）。更新日時が調整時間よりも新しい場合には（Ｓ１４：ＹＥＳ）、調整時間記憶エリア１２２に更新日時が記憶される（Ｓ１５）。そして、未処理ファイルが存在する場合には（Ｓ１６：ＹＥＳ）、Ｓ１２へ戻り繰り返しＳ１２〜Ｓ１６の処理が行われる。未処理ファイルがなくなれば（Ｓ１６：ＮＯ）、ＲＴＣから現在時間が取得される（Ｓ１７）。調整時間が現在時間よりも進んでいる場合には（Ｓ１８：ＹＥＳ）、ＲＴＣの現在時間が調整時間に変更される（Ｓ１９）。調整時間が現在時間よりも進んでいない場合には（Ｓ１８：ＮＯ）、変更されない。【選択図】図７
2008241381.tif 000002
【特許請求の範囲】
【請求項１】
日付のみ又は、日付及び時刻からなる時間が管理される時間調整装置と、携帯型記憶メディアを介して前記時間調整装置に所定情報からなるファイルを提供する時間提供装置とを備えた時間調整システムであって、
前記時間提供装置は、
前記時間を示す情報である時間情報を有する前記ファイルを前記携帯型記憶メディアに記憶する記憶制御手段を備え、
前記時間調整装置は、
前記時間を計測する計時手段と、
前記携帯型記憶メディアに記憶されている前記ファイルが有する前記時間情報を読み出す読出手段と、
前記読出手段により読み出された前記時間情報が示す前記時間に基づいて、前記計時手段の示す現在の前記時間である現在時間を変更する時間変更手段とを備えたことを特徴とする時間調整システム。
【請求項２】
前記時間提供装置は、
前記時間情報を有する時間調整専用の前記ファイルである時間ファイルを前記携帯型記憶メディアに記憶する時間ファイル記憶制御手段を備え、
前記時間調整装置の前記時間変更手段は、前記携帯型記憶メディアに記憶されている前記時間ファイルから識別可能な前記時間情報に基づいて前記計時手段の前記現在時間を変更することを特徴とする請求項１に記載の時間調整システム。
【請求項３】
日付のみ又は、日付及び時刻からなる時間を計測する計時手段と、
前記時間を示す情報である時間情報を有し、携帯型記憶メディアに記憶されている所定情報からなるファイルから前記時間情報を読み出す読出手段と、
前記読出手段により読み出された前記時間情報が示す時間に基づいて、前記計時手段の示す現在の前記時間である現在時間を変更する時間変更手段とを備えたことを特徴とする時間調整装置。
【請求項４】
前記携帯型記憶メディアと接続されたか否かを判断する判断手段と、
前記判断手段により前記携帯型記憶メディアが接続されたと判断された時に、前記読出手段が前記時間情報を読み出し、前記時間変更手段が前記計時手段の前記現在時間を変更する請求項３に記載の時間調整装置。
【請求項５】
前記時間変更手段は、前記読出手段により読み出された前記時間情報の示す前記時間が、前記計時手段の前記現在時間より進んでいる場合に、前記計時手段の前記現在時間を進めることを特徴とする請求項３又は４に記載の時間調整装置。
【請求項６】
前記時間変更手段は、前記読出手段により読み出された前記時間情報の示す前記時間が、前記計時手段の前記現在時間より進んでいる場合に、前記計時手段の前記現在時間を前記時間情報の示す前記時間まで進めることを特徴とする請求項５に記載の時間調整装置。
【請求項７】
前記時間変更手段は、前記読出手段により読み出された前記時間情報の示す前記時間が、前記計時手段の前記現在時間より進んでいる場合に、前記計時手段の前記現在時間を前記時間情報の示す前記時間よりも一定期間進めた前記時間まで進めることを特徴とする請求項５に記載の時間調整装置。
【請求項８】
前記時間変更手段は、前記読出手段により読み出された前記時間情報の示す前記時間が、前記計時手段の前記現在時間より進んでいない場合、前記計時手段の前記現在時間を変更しないことを特徴とする請求項３乃至７のいずれかに記載の時間調整装置。
【請求項９】
前記時間変更手段は、前記携帯型記憶メディアに前記時間情報を有する前記ファイルが複数記憶されている場合、それぞれの前記ファイルの前記時間情報が示す前記時間のうち最も新しい前記時間に基づいて前記計時手段の前記現在時間を変更することを特徴とする請求項３乃至８のいずれかに記載の時間調整装置。
【請求項１０】
前記時間変更手段は、前記時間情報を有する時間調整専用の前記ファイルである時間ファイルが前記携帯型記憶メディアに記憶されている場合に、前記時間ファイルから識別可能な前記時間情報に基づいて前記計時手段の前記現在時間を変更することを特徴とする請求項３乃至８のいずれかに記載の時間調整装置。
【請求項１１】
前記時間変更手段は、前記時間ファイルのファイル名、前記時間ファイルの付属情報、又は、前記時間ファイルのデータの中に記載されている前記時間情報に基づいて前記計時手段の前記現在時間を変更することを特徴とする請求項１０に記載の時間調整装置。
【請求項１２】
請求項３乃至１１のいずれかに記載の時間調整装置の各種処理手段としてコンピュータを機能させることを特徴とする時間調整プログラム。
【発明の詳細な説明】
【技術分野】
【０００１】
本発明は、時間調整システム、時間調整装置及び時間調整装置プログラムに関するものであり、時間調整装置の時間調整を行う時間調整システム、時間調整を行う時間調整装置、時間調整を行う時間調整装置プログラムに関するものである。
【背景技術】
【０００２】
従来、種々の装置において日付及び時刻や日付のみの時間管理が行われている。例えば、この時刻管理には、ＲＴＣ（Ｒｅａｌ  Ｔｉｍｅ  Ｃｌｏｃｋ）という計時用のチップが用いられている。しかしながら、種々の装置では、時刻が狂ってしまったり、電源不足により時刻がリセットされてしまったりすることがある。そこで、ユーザにより時刻を入力させる設定手段が設けられていたり、標準電波送信所から送信される標準電波を受信して時刻を取得する手段（所謂、電波時計）で取得された時刻で装置の時刻を設定する手段が設けられていたりする。また、時刻を合わせておく必要がある装置同士において、通信回線で接続して時刻を同期させる方法が提案されている（例えば、特許文献１参照）。
【特許文献１】特開平５−３３６５７４号公報
【発明の開示】
【発明が解決しようとする課題】
【０００３】
しかしながら、他の装置と接続したり、ネットワークに接続したりする機能を有しない装置では、特許文献１に記載の発明の方法では、他の装置の時刻を用いて自身の装置の時刻を設定することはできないという問題点がある。また、所謂電波時計の機能を備えるにはコストも係るという問題点がある。特に、装置の小型化・軽量化が望まれる携帯型の装置では、電波時計の機能や通信機能を備えることにより、サイズや重量が増してしまうという問題点がある。
【０００４】
本発明は、上述の問題点を解決するためになされたものであり、通信機能や電波時計機能といった格段の構成を備えることなく、時間調整装置の時間調整を行う時間調整システム、時間調整装置、時間調整プログラムを提供することを目的とする。
【課題を解決するための手段】
【０００５】
上記課題を解決するため、請求項１に係る発明の時間調整システムでは、日付のみ又は、日付及び時刻からなる時間が管理される時間調整装置と、携帯型記憶メディアを介して前記時間調整装置に所定情報からなるファイルを提供する時間提供装置とを備えた時間調整システムであって、前記時間提供装置は、前記時間を示す情報である時間情報を有する前記ファイルを前記携帯型記憶メディアに記憶する記憶制御手段を備え、前記時間調整装置は、前記時間を計測する計時手段と、前記携帯型記憶メディアに記憶されている前記ファイルが有する前記時間情報を読み出す読出手段と、前記読出手段により読み出された前記時間情報が示す前記時間に基づいて、前記計時手段の示す現在の前記時間である現在時間を変更する時間変更手段とを備えている。
【０００６】
また、請求項２に係る発明の時間調整システムでは、請求項１に記載の発明の構成に加えて、前記時間提供装置は、前記時間情報を有する時間調整専用の前記ファイルである時間ファイルを前記携帯型記憶メディアに記憶する時間ファイル記憶制御手段を備え、前記時間調整装置の前記時間変更手段は、前記携帯型記憶メディアに記憶されている前記時間ファイルから識別可能な前記時間情報に基づいて前記計時手段の前記現在時間を変更することを特徴とする。
【０００７】
また、請求項３に係る発明の時間調整装置では、日付のみ又は、日付及び時刻からなる時間を計測する計時手段と、前記時間を示す情報である時間情報を有し、携帯型記憶メディアに記憶されている所定情報からなるファイルから前記時間情報を読み出す読出手段と、前記読出手段により読み出された前記時間情報が示す時間に基づいて、前記計時手段の示す現在の前記時間である現在時間を変更する時間変更手段とを備えている。
【０００８】
また、請求項４に係る発明の時間調整装置では、請求項３に記載の発明の構成に加えて、前記携帯型記憶メディアと接続されたか否かを判断する判断手段と、前記判断手段により前記携帯型記憶メディアが接続されたと判断された時に、前記読出手段が前記時間情報を読み出し、前記時間変更手段が前記計時手段の前記現在時間を変更する。
【０００９】
また、請求項５に係る発明の時間調整装置では、請求項３又は４に記載の発明の構成に加えて、前記時間変更手段は、前記読出手段により読み出された前記時間情報の示す前記時間が、前記計時手段の前記現在時間より進んでいる場合に、前記計時手段の前記現在時間を進めることを特徴とする。
【００１０】
また、請求項６に係る発明の時間調整装置では、請求項５に記載の発明の構成に加えて、前記時間変更手段は、前記読出手段により読み出された前記時間情報の示す前記時間が、前記計時手段の前記現在時間より進んでいる場合に、前記計時手段の前記現在時間を前記時間情報の示す前記時間まで進めることを特徴とする。
【００１１】
また、請求項７に係る発明の時間調整装置では、請求項５に記載の発明の構成に加えて、前記時間変更手段は、前記読出手段により読み出された前記時間情報の示す前記時間が、前記計時手段の前記現在時間より進んでいる場合に、前記計時手段の前記現在時間を前記時間情報の示す前記時間よりも一定期間進めた前記時間まで進めることを特徴とする。
【００１２】
また、請求項８に係る発明の時間調整装置では、請求項３乃至７のいずれかに記載の発明の構成に加えて、前記時間変更手段は、前記読出手段により読み出された前記時間情報の示す前記時間が、前記計時手段の前記現在時間より進んでいない場合、前記計時手段の前記現在時間を変更しないことを特徴とする。
【００１３】
また、請求項９に係る発明の時間調整装置では、請求項３乃至８のいずれかに記載の発明の構成に加えて、前記時間変更手段は、前記携帯型記憶メディアに前記時間情報を有する前記ファイルが複数記憶されている場合、それぞれの前記ファイルの前記時間情報が示す前記時間のうち最も新しい前記時間に基づいて前記計時手段の前記現在時間を変更することを特徴とする。
【００１４】
また、請求項１０に係る発明の時間調整装置では、請求項３乃至８のいずれかに記載の発明の構成に加えて、前記時間変更手段は、前記時間情報を有する時間調整専用の前記ファイルである時間ファイルが前記携帯型記憶メディアに記憶されている場合に、前記時間ファイルから識別可能な前記時間情報に基づいて前記計時手段の前記現在時間を変更することを特徴とする。
【００１５】
また、請求項１１に係る発明の時間調整装置では、請求項１０に記載の発明の構成に加えて、前記時間変更手段は、前記時間ファイルのファイル名、前記時間ファイルの付属情報、又は、前記時間ファイルのデータの中に記載されている前記時間情報に基づいて前記計時手段の前記現在時間を変更することを特徴とする。
【００１６】
また、請求項１２に係る発明の時間調整プログラムでは、請求項３乃至１１のいずれかに記載の時間調整装置の各種処理手段としてコンピュータを機能させる。
【発明の効果】
【００１７】
請求項１に係る発明の時間調整システムでは、時間提供装置の記憶制御手段は、時間を示す情報である時間情報を有する所定情報からなるファイルを携帯型記憶メディアに記憶することができる。そして、時間調整装置の計時手段は時間を計測し、読出手段は、携帯型記憶メディアに記憶されているファイルが有する時間情報を読み出し、時間変更手段は、読出手段により読み出された時間情報が示す時間に基づいて、計時手段の示す現在の時間である現在時間を変更することができる。したがって、わざわざ時間調整装置の時間設定をしなくても、携帯型記憶メディアを接続するだけで時間設定ができる。
【００１８】
また、請求項２に係る発明の時間調整システムでは、請求項１に記載の発明の効果に加えて、時間提供装置の時間ファイル記憶制御手段は、時間情報を有する時間調整専用のファイルである時間ファイルを携帯型記憶メディアに記憶することができる。そして、時間調整装置の時間変更手段は、携帯型記憶メディアに記憶されている時間ファイルから識別可能な時間情報に基づいて計時手段の現在時間を変更することができる。時間調整用のファイルが用いられるので、時間調整装置がどのファイルに基づいて現在時間を変更すればよいか判断する必要がなく処理が簡易となる。
【００１９】
また、請求項３に係る発明の時間調整装置では、計時手段は日付のみ又は、日付及び時刻からなる時間を計測し、読出手段は、時間を示す情報である時間情報を有し、携帯型記憶メディアに記憶されている所定情報からなるファイルから時間情報を読み出し、時間変更手段は、読出手段により読み出された時間情報が示す時間に基づいて、計時手段の示す現在の時間である現在時間を変更することができる。したがって、わざわざ時間調整装置の時間設定をしなくても、携帯型記憶メディアを接続するだけで時間設定ができる。
【００２０】
また、請求項４に係る発明の時間調整装置では、請求項３に記載の発明の効果に加えて、判断手段は、携帯型記憶メディアと接続されたか否かを判断し、判断手段により携帯型記憶メディアが接続されたと判断された時に、読出手段が時間情報を読み出し、時間変更手段が計時手段の現在時間を変更することができる。したがって、携帯型記憶メディアを接続後すぐに現在時間を変更できるので、時間提供装置で携帯型記憶メディアにファイルが記憶されてからのタイムラグが少なくなる。
【００２１】
また、請求項５に係る発明の時間調整装置では、請求項３又は４に記載の発明の効果に加えて、時間変更手段は、読出手段により読み出された時間情報の示す時間が、計時手段の現在時間より進んでいる場合に、計時手段の現在時間を進めることができる。時間提供装置で携帯型記憶メディアにファイルが記憶されてから、時間調整装置でファイルの時間情報を読み出すまでにはタイムラグが発生する。よって、時間調整装置の計時手段の現在時間が大きく狂っていない場合には、時間情報の示す時間よりも進んでいることとなる。時間情報の示す時間が計時手段の現在時間よりも進んでいる場合、つまり、時間調整装置の計時手段の現在時間が遅れていると考えられる場合にのみ現在時間を進めることができる。
【００２２】
また、請求項６に係る発明の時間調整装置では、請求項５に記載の発明の効果に加えて、時間変更手段は、読出手段により読み出された時間情報の示す時間が、計時手段の現在時間より進んでいる場合に、計時手段の現在時間を時間情報の示す時間まで進めることができる。したがって、時間情報の示す時間が計時手段の現在時間よりも進んでいる場合、つまり、時間調整装置の計時手段の現在時間が遅れていると考えられる場合に、計時手段の現在時間を時間情報の示す時間まで現在時間を進めることができる。
【００２３】
また、請求項７に係る発明の時間調整装置では、請求項５に記載の発明の効果に加えて、時間変更手段は、読出手段により読み出された時間情報の示す時間が、計時手段の現在時間より進んでいる場合に、計時手段の現在時間を時間情報の示す時間よりも一定期間進めた時間まで進めることができる。時間提供装置で携帯型記憶メディアにファイルが記憶されてから、時間調整装置でファイルの時間情報を読み出すまでにはタイムラグを考慮して現在時間を変更することができる。
【００２４】
また、請求項８に係る発明の時間調整装置では、請求項３乃至７のいずれかに記載の発明の効果に加えて、時間変更手段は、読出手段により読み出された時間情報の示す時間が、計時手段の現在時間より進んでいない場合、計時手段の現在時間を変更しないようにできる。時間提供装置で携帯型記憶メディアにファイルが記憶されてから、時間調整装置でファイルの時間情報を読み出すまでにはタイムラグが発生する。よって、時間情報の示す時間が、計時手段の現在時間より進んでいない場合には、時間調整装置の計時手段の現在時間が大きく狂っていないと考えられる。よって、大きく狂っていない現在時間を変更してしまうことがない。
【００２５】
また、請求項９に係る発明の時間調整装置では、請求項３乃至８のいずれかに記載の発明の効果に加えて、時間変更手段は、携帯型記憶メディアに時間情報を有するファイルが複数記憶されている場合、それぞれのファイルの時間情報が示す時間のうち最も新しい時間に基づいて計時手段の現在時間を変更することができる。したがって、最も現在の時間に近い時間に変更することができる。
【００２６】
また、請求項１０に係る発明の時間調整装置では、請求項３乃至８のいずれかに記載の発明の効果に加えて、時間変更手段は、時間情報を有する時間調整専用のファイルである時間ファイルが携帯型記憶メディアに記憶されている場合に、時間ファイルから識別可能な時間情報に基づいて計時手段の現在時間を変更することができる。したがって、携帯型記憶メディアに記憶されているファイルのどのファイルを用いて現在時間を変更すればよいか判断する必要がなく処理が簡易となる。
【００２７】
また、請求項１１に係る発明の時間調整装置では、請求項１０に記載の発明の効果に加えて、時間変更手段は、時間ファイルのファイル名、時間ファイルの付属情報、又は、時間ファイルのデータの中に記載されている時間情報に基づいて計時手段の現在時間を変更することができる。したがって、容易に時間情報を判断することができる。
【００２８】
また、請求項１２に係る発明の時間調整プログラムでは、請求項３乃至１１のいずれかに記載の時間調整装置の各種処理手段としてコンピュータを機能させることができる。したがって、請求項３乃至１１のいずれかに記載の発明の効果と同様の効果を奏すことができる。
【発明を実施するための最良の形態】
【００２９】
以下、本発明を図面を参照して説明する。まず、本発明の第一の実施の形態及び第二の実施の形態に共通する時間調整システムの概要について、図１を参照して説明する。図１は時間調整システムを構成する各機器の関係を示すシステム構成図である。
【００３０】
図１に示すように、時間調整システムでは、ＰＣ３が「時間提供装置」に該当し、閲覧端末１が「時間調整装置」に該当する。そして、メモリカード２が「携帯型記憶メディア」に該当する。本時間調整システムでは、閲覧端末１の時間をＰＣ３の時間に基づいて調整する。閲覧端末１は、メモリカード２に記憶されている種々のコンテンツを表示部１５に表示させ、ユーザが閲覧するものである。この閲覧端末１は、ネットワークや他の機器に接続することができない。そこで、ＰＣ３でデータの書き込まれたメモリカード２のデータを用いて、閲覧端末１の時間を調整する。なお、ＰＣ３では、所定期間（例えば１日、１週間など）ごとにインターネット５上のタイムサーバ６に接続して、時間情報（日付及び時刻）を取得し、ＲＴＣ４０（図２参照）の現在時間を更新している。なお、第一の実施の形態及び第二の実施の形態では調整する「時間」として、日付及び時刻を用いるものとする。
【００３１】
そして、第一の実施の形態では、メモリカード２に記憶されているデータ（ファイル）の更新日時を使用して閲覧端末１の時間を調整する。第二の実施の形態では、ＰＣ３にて時間調整専用のファイル（時間ファイル）を作成し、メモリカード２に記憶して、閲覧端末１ではこの時間ファイルを用いて時間を調整する。
【００３２】
次に、図２及び図３を参照して、ＰＣ３及び閲覧端末１の電気的構成について説明する。図２は、ＰＣ３の電気的構成を示す模式図であり、図３は、閲覧端末１の電気的構成を示す模式図である。なお、ＰＣ３及び閲覧端末１の電気的構成は、第一の実施の形態及び第二の実施の形態に共通するものである。
【００３３】
図２に示すように、ＰＣ３には、ＰＣ３の制御を司るＣＰＵ３０が設けられ、ＣＰＵ３０には、ＢＩＯＳ等を記憶したＲＯＭ３１と、各種のデータを一時的に記憶するＲＡＭ３２と、ＯＳやプログラム、各種情報を記憶するハードディスク装置（ＨＤＤ）３３と、ユーザによる入力を受け付けるキーボード３６及びマウス３７と、画像を出力するディスプレイ３５と、ＣＤ−ＲＯＭ９を読み込むためのＣＤ−ＲＯＭドライブ３８と、インターネット５に接続するためのＬＡＮコントローラ３９と、時間を計測し現在時間を出力するＲＴＣ（Ｒｅａｌ  Ｔｉｍｅ  Ｃｌｏｃｋ）４０と、メモリカード２を接続するためのメモリカードコントローラ４１とがバスを介して接続されている。なお、ディスプレイ３５は必ずしも設けられていなくともよい。なお、第一の実施の形態及び第二の実施の形態では、ＲＴＣ４０は、現在時間（年月日、時分秒）を出力するものとする。
【００３４】
次に、図３を参照して、閲覧端末１について説明する。閲覧端末１は、メモリカード２に記憶されているコンテンツを表示部１５に表示させる。図３に示すように、閲覧端末１には、閲覧端末１の制御を司るＣＰＵ１０が設けられ、ＣＰＵ１０には、閲覧端末１を動作させるための閲覧プログラム等を記憶したＲＯＭ１１と、各種のデータを一時的に記憶するＲＡＭ１２と、各種データを記憶したＥＥＰＲＯＭ１３と、表示部１５の制御を行う表示コントローラ１４と、ユーザによる入力を受け付ける操作キー１６と、ＲＴＣ１７と、メモリカード２を接続するためのメモリカードコントローラ１８とがバスを介して接続されている。なお、第一の実施の形態及び第二の実施の形態では、ＲＴＣ１７は、「現在時間」として、現在時間（年月日、時分秒）を出力するものとする。
【００３５】
次に、図４乃至図７を参照して、第一の実施の形態の時刻調整システムについて説明する。図４は、第一の実施の形態のメモリカード２の記憶エリアの構成を示す模式図であり、図５は、閲覧端末１のＲＡＭ１２の構成を示す模式図である。そして、図６は、第一の実施の形態のＰＣ３の動作を示すフローチャートであり、図７は、第一の実施の形態の閲覧端末１での動作を示すフローチャートである。
【００３６】
図４に示すように、メモリカード２には、複数のファイルを記憶することができる。図４に示す例では、第一ファイル２１，第二ファイル２２の２つのファイルが記憶されている。これらのファイルは、閲覧端末１で認識可能なファイルフォーマットのファイルである。本第一の実施の形態では、閲覧端末１の表示部１５に表示される文字や画像のファイルである。テキストファイル、画像ファイル、ワープロソフト専用のファイルなどと同様に、第一ファイル２１及び第二ファイル２２は、ヘッダ部及びデータ部で構成されている。データ部には、このファイルの内容である実データ（テキストファイルであれば文字の情報、画像ファイルであれば画像を形成する画素の情報、ワープロソフトであれば文字の情報や文書に対する種々の書式設定情報など）が記憶される。そして、ヘッダ部には実データ以外の属性情報が記憶されている。属性情報とは、図４に示す「更新日時」、「ファイル名」である。そのほかにも、ファイルの種類を示す情報、ファイルサイズ、ファイルの作成者など、ファイル種類により種々の属性情報が記憶される。なお、本第一の実施の形態では、ファイルの更新日時を用いて閲覧端末１の時間調整を行う。
【００３７】
図４に示す例では、第一ファイル２１は、ファイル名「００００１」、更新日時は２００７年３月９日１１時２２分３３秒である。そして、第二ファイル２２は、ファイル名「０００００２」、更新日時２００７年３月９日１１時２５分４０秒である。
【００３８】
次に、図５を参照して、ＲＡＭ１２に設けられている記憶エリアについて説明する。図５に示すように、ＲＡＭ１２には、ファイル記憶エリア１２１及び調整時間記憶エリア１２２等が設けられている。なお、ＲＡＭ１２には、図示外の記憶エリアも設けられている。ファイル記憶エリア１２１には、メモリカード２から読み出されたファイルが一時的に記憶され、調整時間記憶エリア１２２には、時間調整する際に使用する時間が記憶される。なお、本第一の実施の形態では、調整時間は年月日、時分秒を示す１２桁の数字（ｙｙｙｙｍｍｄｄｈｈｍｍｓｓ）とする。例えば、２００７年３月９日１１時２５分４０秒であれば、「２００７０３０９１１２５４０」と表される。
【００３９】
次に、図６のフローチャートを参照して、ＰＣ処理について説明する。これは、ＰＣ３において、ファイルをメモリカード２に記憶する指示が行われた際に実施される処理である。まず、メモリカード２へ指定されたファイルが記憶される（Ｓ１）。そして、ＲＴＣ４０から現在時間が読み出され（Ｓ２）、メモリカード２に記憶されたファイルのヘッダ部の更新日時が現在時間に変更される（Ｓ３）。
【００４０】
次に、図７のフローチャートを参照して、閲覧端末処理について説明する。この閲覧端末処理は、閲覧端末１において、メモリカード２の接続を検知した際に実施される時間調整プログラムがＣＰＵ１０で実行されることにより実施される。ここでは、メモリカード２に記憶されているファイルのうち、最も新しい更新日時が探索され、「調整時間」とされる。そして、閲覧端末１のＲＴＣ１７の現在時間が「調整時間」に変更される。
【００４１】
まず、調整時間記憶エリア１２２に初期値の「１９００／１／１  ００：００：００」が記憶される（Ｓ１１）。そして、メモリカード２に記憶されている１つのファイルが読み込まれ、ファイル記憶エリア１２１に記憶される（Ｓ１２）。そして、読み込まれたファイルのヘッダ部の更新日時が取得され（Ｓ１３）、この更新日時と調整時間とが比較され、更新日時が調整時間よりも新しい（大きい）か否かの判断が行われる（Ｓ１４）。最初のファイルでは、必ず調整時間のほうが新しいので（Ｓ１４：ＹＥＳ）、調整時間記憶エリア１２２に更新日時が記憶される（Ｓ１５）。そして、未処理のファイルがメモリカード２に存在するか否かの判断が行われる（Ｓ１６）。未処理のファイルが存在する場合には（Ｓ１６：ＹＥＳ）、Ｓ１２へ戻る。
【００４２】
そして、次のファイルが読み込まれ、ファイル記憶エリア１２１に記憶される（Ｓ１２）。そして、読み込まれたファイルのヘッダ部の更新日時が取得され（Ｓ１３）、この更新日時と調整時間とが比較される（Ｓ１４）。ここで、更新日時が調整時間よりも新しければ（Ｓ１４：ＹＥＳ）、調整時間は更新日時に更新される（Ｓ１５）。しかし、更新日時が調整時間よりも新しくなければ（Ｓ１４：ＮＯ）、調整時間は更新されない。そして、未処理のファイルがメモリカード２に存在するか否かの判断が行われ（Ｓ１６）、未処理のファイルがあれば（Ｓ１６：ＹＥＳ）、Ｓ１２へ戻り、繰り返しＳ１２〜Ｓ１６の処理が行われる。
【００４３】
また、未処理のファイルがなければ（Ｓ１６：ＮＯ）、ＲＴＣ１７から現在時間が取得される（Ｓ１７）。そして、調整時間と現在時間とが比較される（Ｓ１８）。調整時間が現在時間よりも進んでいる、つまり、調整時間が現在時間よりも大きい場合には（Ｓ１８：ＹＥＳ）、ＲＴＣ１７の現在時間が調整時間の示す日時に変更される（Ｓ１９）。そして、本処理は終了する。一方、調整時間が現在時間よりも進んでいない場合には（Ｓ１８：ＮＯ）、ＲＴＣ１７の現在時間は変更されない。
【００４４】
以上のようにして、第一の実施の形態の時間調整システムでは、メモリカード２に記憶されているファイルのうち、更新日時の最も新しいファイルの更新日時を用いて、ＲＴＣ１７の現在時間を調整することができる。したがって、わざわざ閲覧端末１の時間設定をユーザが行わなくても、メモリカード２を接続するという、閲覧端末１を使用する上で通常行われる動作で時間調整することができる。また、標準電波送信所から送信される標準電波を受信して時刻を取得する手段（所謂、電波時計）や、ネットワークに接続する手段といった特段の手段を設けることなく、時間を調整することができる。よって、特段の手段を設ける場合に比べて、閲覧端末１の軽量化を図ることができ、コストも削減できる。さらに、図７に示す処理は、閲覧端末１がメモリカード２の接続を検知した際に実施されるので、ＰＣ３でメモリカード２にファイルを記憶してからのタイムラグが最も少ない状態で時間調整することができる。
【００４５】
また、上記第一の実施の形態では、ＰＣ３でファイルがメモリカード２に記憶されてから、閲覧端末１にメモリカード２が接続されるまでのタイムラグが発生する。そこで、閲覧端末１のＲＴＣ１７の現在時間が合っている場合であっても、調整時間とは異なる日時となる。例えば、タイムラグが５分あった場合には、閲覧端末１のＲＴＣ１７の現在時間は、調整時間よりも５分進んでいることとなる。この場合に、ＲＴＣ１７の現在時間を調整時間に変更してしまうと、ＲＴＣ１７の現在時間を遅らせてしまうことになる。そこで、調整時間がＲＴＣ１７の現在時間よりも進んでいる場合にのみ現在時間を進めて時間調整を行い、遅れている場合には時間調整を行っていない。よって、ＲＴＣ１７の時間を遅らせてしまうことはない。
【００４６】
なお、上記第一の実施の形態では、図６に示すＰＣ処理のＳ２において、ファイルをメモリカード２に記憶させた際にファイルの更新日時を現在時間に変更しているので、時間調整をする時点と最もタイムラグの少ない時間を用いることができる。なお、必ずしもファイルの更新日時を変更しなくてもよい。前述したように、閲覧端末１のＲＴＣ１７の現在時間の遅れを修正するという観点からすると、変更しないファイルの更新日時はＰＣ３の現在時間よりも古く、変更しないファイルの更新日時がＲＴＣ１７の現在時間よりも進んでいる場合には、ＲＴＣ１７の現在時間は遅れていることとなり、現在時間を進める必要がある。よって、ファイルの更新日時を現在時間に変更しなくても、遅れたＲＴＣ１７の現在時間を進める効果は得られる。よって、ファイルの更新日時を使用していることにより、メモリカード２にファイルを書き込む装置（時間提供装置）において、ファイルの更新日時を現在時間に変更する機能を有していなくても、時間調整装置の時間調整をすることができる。つまり、どのような装置でファイルが書き込まれたメモリカード２であっても、時間調整をすることができる。
【００４７】
なお、上記第一の実施の形態において、ファイルのヘッダ部の更新日時が「時間情報」に該当する。そして、図６に示すＰＣ処理のＳ１，Ｓ２の処理で、更新日時を現在の日時としたファイルをメモリカード２に記憶する処理を行うＣＰＵ３０が「記憶制御手段」に相当する。そして、閲覧端末１のＲＴＣ１７が「計時手段」に該当し、図７に示す閲覧端末処理のＳ１３においてファイルのヘッダ部の更新日時を読み出す処理を行うＣＰＵ１０が「読出手段」に相当し、Ｓ１８，Ｓ１９でＲＴＣ１７の現在時間を変更する処理を行うＣＰＵ１０が「時間変更手段」に相当する。
【００４８】
次に、図８乃至図１０を参照して、第二の実施の形態の時刻調整システムについて説明する。図８は、第二の実施の形態のメモリカード２の記憶エリアの構成を示す模式図であり、図９は、ＲＡＭ１２に設けられている記憶エリアの構成を示す模式図である。そして、図１０は、第二の実施の形態のＰＣ３の動作を示すフローチャートであり、図１１は、第二の実施の形態の閲覧端末１での動作を示すフローチャートである。
【００４９】
図８に示すように、メモリカード２には、複数のファイルを記憶することができる。図８に示す例では、第一ファイル２１，第二ファイル２２，第三ファイル２３の３つのファイルが記憶されている。これらのファイルは、閲覧端末１で認識可能なファイルフォーマットのファイルであり、第一の実施の形態と同様に、第一ファイル２１，第二ファイル２２，第三ファイル２３は、ヘッダ部及びデータ部で構成されている。そして、データ部には、このファイルの内容である実データが記憶され、ヘッダ部には実データ以外の属性情報が記憶されている。
【００５０】
図８に示す例では、第一ファイル２１は、ファイル名「００００１」、更新日時は２００７年３月９日１１時２２分３３秒である。そして、第二ファイル２２は、ファイル名「０００００２」、更新日時２００７年３月９日１１時２５分４０秒である。そして、第三ファイル２３は、ファイル名「ＴｉｍｅＡｄｊｕｓｔ」、更新日時２００７年３月９日１１時２６分１０秒である。第二の実施の形態では、第三ファイル２３に該当するファイル名が「ＴｉｍｅＡｄｊｕｓｔ」というファイルが使用される。このファイルは時間調整専用のファイル（以下、「時間ファイル」という）であり、本第二の実施の形態では、時間ファイルはテキストファイルであるとする。そして、データ部には、「時間情報」が記載される。
【００５１】
次に、図９を参照して、ＲＡＭ１２に設けられている記憶エリアについて説明する。図５に示すように、ＲＡＭ１２には、ファイル記憶エリア１２１，調整時間記憶エリア１２２，次回書込時刻記憶エリア１２３等が設けられている。なお、ＲＡＭ１２には、図示外の記憶エリアも設けられている。ファイル記憶エリア１２１には、メモリカード２から読み出されたファイルが一時的に記憶され、調整時間記憶エリア１２２には、時間調整する際に使用する時間が記憶される。そして、次回書込時刻記憶エリア１２３には、次に時間ファイルをメモリカード２に書き込む時刻が記憶される。なお、本第二の実施の形態では、調整時間及び次回書込時刻は、年月日、時分秒を示す１２桁の数字（ｙｙｙｙｍｍｄｄｈｈｍｍｓｓ）とする。例えば、２００７年３月９日１１時２５分４０秒であれば、「２００７０３０９１１２５４０」と表される。
【００５２】
次に、図１０を参照して、ＰＣ処理について説明する。これは、ＰＣ３に電源が投入され、各種初期処理が行われた後に、時間提供プログラムがＣＰＵ３０で実行されることにより行われる処理である。なお、ＰＣ３の電源をＯＦＦする割り込み信号を受けた際に、本処理は終了する。
【００５３】
まず、メモリカード２が接続されているか否かの判断が行われる（Ｓ３０）。メモリカードコントローラ１８に問い合わせ、メモリカード２を接続していないとの回答を受けた場合には（Ｓ３０：ＮＯ）、繰り返しＳ３０の判断が行われる。そして、メモリカード２が接続されたら（Ｓ３０：ＹＥＳ）、ＲＴＣ４０から現在時間が取得される（Ｓ３１）。そして、現在時間をデータ部に記載した時間ファイルが作成され（Ｓ３２）、作成された時間ファイルがメモリカード２に記憶される（Ｓ３３）。これにより、メモリカード２がＰＣ３に接続された時間がメモリカード２の時間ファイルに記録される。
【００５４】
そして、現在時間に所定時間（例えば、６０秒）加算した値が次回書込時刻としてＲＡＭ１２の次回書込時刻記憶エリア１２３に記憶される（Ｓ３４）。そして、次回書込時刻となったか否かの判断が行われる（Ｓ３５）。ＲＴＣ４０の現在時刻と次回書込時刻記憶エリア１２３に記憶されている時刻とが比較され、次回書込時刻となるまで繰り返し判断が行われ、次回書込時刻が待機される（Ｓ３５：ＮＯ、Ｓ３５）。
【００５５】
そして、次回書込時刻となったら（Ｓ３５：ＹＥＳ）、Ｓ３０へ戻る。そして、メモリカード２が接続されていれば（Ｓ３０：ＹＥＳ）、再び、ＲＴＣ４０から現在時間が取得され（Ｓ３１）、現在時間をデータ部に記載した時間ファイルが作成され（Ｓ３２）、作成された時間ファイルがメモリカード２に記憶される（Ｓ３３）。これにより、メモリカード２が継続してＰＣ３に接続されていても、時間ファイルは更新される。そして、次回書込時刻が記憶され（Ｓ３４）、次回書込時刻が待機される（Ｓ３５：ＮＯ、Ｓ３５）。
【００５６】
このようにして、ＰＣ３の電源ＯＦＦの割り込み信号を受けるまで繰り返しＳ３０〜Ｓ３５の処理が行われる。
【００５７】
次に、図１１のフローチャートを参照して、閲覧端末処理について説明する。この閲覧端末処理は、閲覧端末１において、メモリカード２の接続を検知した際に実施される時間調整プログラムがＣＰＵ１０で実行されることにより実施される。ここでは、メモリカード２に記憶されている時間ファイルのデータ部に記載されている時間情報が「調整時間」とされる。そして、閲覧端末１のＲＴＣ１７の現在時間が「調整時間」に変更される。
【００５８】
まず、メモリカード２から時間ファイルが読み込まれ、ＲＡＭ１２のファイル記憶エリア１２１に記憶される（Ｓ４１）。そして、読み込まれたファイルのデータ部の時間情報が取得され、調整時間としてＲＡＭ１２の調整時間記憶エリア１２２に記憶される（Ｓ４２）。そしてＲＴＣ１７から現在時間が取得され（Ｓ４３）、この現在時間と調整時間とが比較される（Ｓ４４）。調整時間が現在時間よりも進んでいる、つまり、調整時間が現在時間よりも大きい場合には（Ｓ４４：ＹＥＳ）、ＲＴＣ１７の現在時間が調整時間の示す日時に変更される（Ｓ４５）。そして、本処理は終了する。一方、調整時間が現在時間よりも進んでいない場合には（Ｓ４４：ＮＯ）、ＲＴＣ１７の現在時間は変更されない。
【００５９】
以上のようにして、第二の実施の形態の時間調整システムでは、メモリカード２に記憶されている時間ファイルのデータ部に記載されている時間情報を用いて、ＲＴＣ１７の現在時間を調整することができる。したがって、わざわざ閲覧端末１の時間設定をユーザが行わなくても、メモリカード２を接続するという、閲覧端末１を使用する上で通常行われる動作で時間調整することができる。また、標準電波送信所から送信される標準電波を受信して時刻を取得する手段（所謂、電波時計）や、ネットワークに接続する手段といった特段の手段を設けることなく、時間を調整することができる。よって、特段の手段を設ける場合に比べて、閲覧端末１の軽量化を図ることができ、コストも削減できる。さらに、図１１に示す処理は、閲覧端末１がメモリカード２の接続を検知した際に実施されるので、ＰＣ３でメモリカード２にファイルを記憶してからのタイムラグが最も少ない状態で時間調整することができる。
【００６０】
また、上記第二の実施の形態では、ＰＣ３でファイルがメモリカード２に記憶されてから、閲覧端末１にメモリカード２が接続されるまでのタイムラグが発生する。そこで、閲覧端末１のＲＴＣ１７の現在時間が合っている場合であっても、調整時間とは異なる日時となる。例えば、タイムラグが５分あった場合には、閲覧端末１のＲＴＣ１７の現在時間は、調整時間よりも５分進んでいることとなる。この場合に、ＲＴＣ１７の現在時間を調整時間に変更してしまうと、ＲＴＣ１７の現在時間を遅らせてしまうことになる。そこで、調整時間がＲＴＣ１７の現在時間よりも進んでいる場合にのみ現在時間を進めて時間調整を行い、遅れている場合には時間調整を行っていない。よって、ＲＴＣ１７の時間を遅らせてしまうことはない。
【００６１】
また、上記第二の実施の形態では、時間調整専用の時間ファイルを用いるので、閲覧端末１において、どのファイルを用いればよいかの判断をする必要がなく、処理が簡易となり、ＣＰＵ１０に対する負荷が少なくてすむ。
【００６２】
なお、上記第二の実施の形態において、ファイルのデータ部に記載されている時間情報が「時間情報」に該当する。そして、メモリカードコントローラ１８が「判断手段」に該当する。そして、図１０に示すＰＣ処理のＳ３３の処理で、時間ファイルをメモリカード２に記憶する処理を行うＣＰＵ３０が「記憶制御手段」に相当する。そして、閲覧端末１のＲＴＣ１７が「計時手段」に該当し、図１１に示す閲覧端末処理のＳ４２において時間ファイルのデータ部の時間情報を読み出す処理を行うＣＰＵ１０が「読出手段」に相当し、Ｓ４４，Ｓ４５でＲＴＣ１７の現在時間を変更する処理を行うＣＰＵ１０が「時間変更手段」に相当する。
【００６３】
なお、本発明の時間調整システム及び時間調整装置は、上記した実施の形態に限定されるものではなく、本発明の要旨を逸脱しない範囲内において種々変更を加え得ることは勿論である。上記第一の実施の形態及び第二の実施の形態では、「時間調整装置」として閲覧端末１、「時間提供装置」としてＰＣ３を例示したがこれらの装置は閲覧端末１やＰＣ３に限らないことは言うまでもない。また、上記第一の実施の形態及び第二の実施の形態では、ＰＣ３はインターネット５のタイムサーバ６から定期的に時間情報を取得しているが、ＰＣ３はタイムサーバ６から時間情報を取得するのでなくともよい。例えば、標準電波送信所から送信される標準電波を受信して時刻を取得する手段（所謂、電波時計）を設け、現在時刻を正しい時刻に保つようにしていてもよいし、ネットワーク上のほかのＰＣ等の時刻と同期するようにしてもよい。。
【００６４】
なお、上記第一の実施の形態及び第二の実施の形態では、ＲＴＣ１７の現在時間を「調整時間」に変更しているが、例えば、調整時間に所定の時間（例えば、５分、１０分など）をタイムラグ分として加算した時間に変更してもよい。
【００６５】
また、上記第一の実施の形態及び第二の実施の形態では、「時間情報」及び、計時手段であるＲＴＣ１７の「現在時間」として日付及び時刻を用いたが、日付のみを用いてもよい。日付のみを用いる場合、例えば、「時間調整装置」が日付のみを管理しているような場合や、細かい時刻は必要とせずに、日付だけ必要とするような端末で特に有効である。例えば、閲覧端末１で閲覧するコンテンツの閲覧有効期限を日付で管理するような場合に有効である。
【００６６】
また、上記第一の実施の形態及び第二の実施の形態では、調整時間が現在時間より進んでいるか否かにより、時間調整するか否かの判断を行ったが（図７：Ｓ１８、図１１：Ｓ４４参照）、時間調整するか否かの判断はこれに限らない。例えば、調整時間が現在時間よりも進んでいない場合であっても、その差が所定時間（例えば、１時間）以内であれば時間調整するようにしてもよい。
【００６７】
また、上記第二の実施の形態では、時間ファイルのデータ部に時間情報が記載されており、これを「調整時間」としたが、時間ファイルにおいて時間情報はデータ部に記載されていなくともよい。例えば、時間ファイルの更新日時を用いたり、ファイル名に時間情報を記載したりしてもよい。ファイル名は、時間情報のみ（例えば、２００７０３０９１１２６１０）であっても、一部に時間情報が含まれていてもよい。例えば、「ＴｉｍｅＡｄｊｕｓｔ２００７０３０９１１２６１０」である。
【００６８】
また、上記第二の実施の形態では、６０秒ごとに時間ファイルをメモリカード２に書き込みしているが、時間ファイルをメモリカード２に記憶する間隔は６０秒に限らないことは言うまでもない。また、所定時間ごとに記憶するのでなく、メモリカード２の接続を検出した際に１度だけ記憶したり、メモリカード２の取り出し指示を受け付けた際にメモリカード２を開放する直前に記憶したりしてもよい。
【００６９】
また、上記第一の実施の形態及び第二の実施の形態においては、請求項にいう「所定情報からなるファイル」として、閲覧端末１で認識可能なファイルフォーマットのファイルである表示部１５に表示される文字や画像のファイルを例に挙げた。しかしながら、「所定情報からなるファイル」はこれに限らない。閲覧端末１及びＰＣ３で認識可能なファイルフォーマットのデータファイルであればよい。「時間調整装置」に該当する装置が音声を出力するスピーカを備えたものであれば、音楽データや録音データのファイルであってもよい。また、スピーカと表示部とを備えていれば動画データのファイルであってもよい。つまり、「所定情報」とは「時間調整装置」及び「時間提供装置」で認識可能なファイルフォーマットで構成されるデータであり、「所定情報からなるファイル」とは、「時間調整装置」及び「時間提供装置」で認識可能なファイルフォーマットで構成されるデータからなるファイルである。
【図面の簡単な説明】
【００７０】
【図１】本発明の時間調整システムを構成する各機器の関係を示すシステム構成図である。
【図２】ＰＣ３の電気的構成を示す模式図である。
【図３】閲覧端末１の電気的構成を示す模式図である。
【図４】第一の実施の形態のメモリカード２の記憶エリアの構成を示す模式図である。
【図５】閲覧端末１のＲＡＭ１２の構成を示す模式図である。
【図６】第一の実施の形態のＰＣ３の動作を示すフローチャートである。
【図７】第一の実施の形態の閲覧端末１での動作を示すフローチャートである。
【図８】第二の実施の形態のメモリカード２の記憶エリアの構成を示す模式図である。
【図９】ＲＡＭ１２に設けられている記憶エリアの構成を示す模式図である。
【図１０】第二の実施の形態のＰＣ３の動作を示すフローチャートである。
【図１１】第二の実施の形態の閲覧端末１での動作を示すフローチャートである。
【符号の説明】
【００７１】
１  閲覧端末
２  メモリカード
３  ＰＣ
１０  ＣＰＵ
１２  ＲＡＭ
１５  表示部
１７  ＲＴＣ
１８  メモリカードコントローラ
２１  第一ファイル
２２  第二ファイル
２３  第三ファイル
３０  ＣＰＵ
３２  ＲＡＭ
３５  ディスプレイ
４０  ＲＴＣ
【図１】
2008241381.tif 000003
【図２】
2008241381.tif 000004
【図３】
2008241381.tif 000005
【図４】
2008241381.tif 000006
【図５】
2008241381.tif 000007
【図６】
2008241381.tif 000008
【図７】
2008241381.tif 000009
【図８】
2008241381.tif 000010
【図９】
2008241381.tif 000011
【図１０】
2008241381.tif 000012
【図１１】
2008241381.tif 000013